(57)【要約】【課題】食器洗い乾燥機において、食器類の入れ過ぎを防止し、適正重量の食器類を洗浄乾燥すること。【解決手段】食器類１に無線ＩＣタグ２が貼付され、具備した読取手段３で無線ＩＣタグ２からデータを読み取り、食器類１の重量を含む情報を取得して、具備した記憶手段に前記情報を記憶し、制御手段４ａで前記情報より食器洗い乾燥機１０内に存在する食器類１の総重量を算出し、前記算出した食器類の総重量が最適重量の範囲を超える場合、前記最適重量との差を求め、前記差に相当するひとつ以上の食器類を探知して、報知手段９によりひとつ以上の食器類を取り除くように指示するようにした。【選択図】図１
2006288711.tif 000002
【特許請求の範囲】
【請求項１】
無線ＩＣタグが貼付された食器類を洗浄乾燥する食器洗い乾燥機であって、具備した読取手段で前記無線ＩＣタグからデータを読み取り、前記食器類の重量を含む情報を取得して、具備した記憶手段に前記情報を記憶し、具備した制御手段で前記情報より食器洗い乾燥機内に存在する食器類の総重量を算出し、前記算出した食器類の総重量が最適重量の範囲を超える場合、具備した報知手段により食器類を取り除くように指示することを特徴とする食器洗い乾燥機。
【請求項２】
無線ＩＣタグが貼付されされた食器類を洗浄乾燥する食器洗い乾燥機であって、具備した読取手段で前記無線ＩＣタグからコードデータを読み取り、前記コードデータを基にネットワーク上の情報サーバから前記食器類の重量を含む情報を取得して、具備した記憶手段に前記情報を記憶して、具備した制御手段で前記情報より食器洗い乾燥機内に存在する食器類の総重量を算出し、前記算出した食器類の総重量が最適重量の範囲を超える場合、具備した報知手段により食器類を取り除くように指示することを特徴とする食器洗い乾燥機。
【請求項３】
食器類の総重量が最適重量の範囲を超える場合、前記最適重量との差を求め、前記差に相当するひとつ以上の食器類を取り除くように報知手段で指示する事を特徴とする請求項１または請求項２の食器洗い乾燥機。
【請求項４】
洗浄乾燥終了時に記憶手段で記憶した情報を消去することを特徴とする請求項１または請求項２記載の食器洗い乾燥機。
【請求項５】
記憶手段で記憶した総重量が最適重量の範囲を超える場合、あるいは、総重量が最適重量の範囲に達しない場合、報知手段により報知する、または、洗浄乾燥を開始しないことを特徴とする請求項１または請求項２記載の食器洗い乾燥機。
【請求項６】
記憶手段で記憶した総重量が最適重量の範囲に達した場合、報知手段により報知する、または、洗浄乾燥開始を許可する、あるいは、洗浄乾燥を開始することを特徴とする請求項１または請求項２記載の食器洗い乾燥機。
【請求項７】
請求項１〜６のいずれか記載の食器洗い乾燥機において少なくともひとつの手段をコンピュータに実行させるためのプログラム。
【発明の詳細な説明】
【技術分野】
【０００１】
本発明は、省エネルギーに貢献する食器洗い乾燥機とそのプログラムに関するものである。
【背景技術】
【０００２】
食器洗い乾燥機は、水や電気を使用して洗浄乾燥するので、最適な運転をしなかった場合には、水や電気を無駄使いすることになる。特に食器類の入れすぎによる洗浄乾燥効率の低下は憂慮すべき事項であり、洗浄乾燥効果にも悪影響がある。せっかく洗浄乾燥したけれども食器類を入れすぎていたので汚れが充分に落ちず、あるいは、充分に乾かず、やむなく再度洗浄乾燥するというような無駄は避けるべきであり、最適量の食器類を洗浄乾燥することがエネルギー使用効率上から好ましい。
【０００３】
最近では京都議定書目標達成に向けた炭酸ガス排出規制の問題がクローズアップされ、省エネルギーは大きな課題になっており、食器類の重量を把握して入れすぎを防止してエネルギー効率を向上させることは非常に好ましい。こういった食器洗い乾燥機への最適水量を探知するための工夫はすでに色々と行われてきた（特許文献１参照）。
【特許文献１】特開２０００−２７１０５９号公報
【発明の開示】
【発明が解決しようとする課題】
【０００４】
しかしながら、特許文献１では、濁度計や温度センサーを用いて水量の増減を行ない最適運転を行うというものであり、こういった方法では、正確な重量把握という点で厳密さを欠くという欠点があった。
【０００５】
また食器類の入れ過ぎを警告する際にも、何を取り除くべきであるかという指示までは行なうことはできなかった。
【課題を解決するための手段】
【０００６】
そこで、前記の課題を解決するために、本発明は、無線ＩＣタグが貼付された食器類を洗浄乾燥する食器洗い乾燥機であって、具備した読取手段で前記無線ＩＣタグからデータを読み取り、前記食器類の重量を含む情報を取得して、具備した記憶手段に前記情報を記憶し、具備した制御手段で前記情報より食器洗い乾燥機内に存在する食器類の総重量を算出し、前記算出した食器類の総重量が最適重量の範囲を超える場合、具備した報知手段により食器類を取り除くように指示するようにした。
【０００７】
また、食器類の総重量が最適重量の範囲を超える場合、前記最適重量との差を求め、前記差に相当するひとつ以上の食器類を取り除くように報知手段で指示するようにした。
【発明の効果】
【０００８】
これにより、食器類を入れ過ぎた時にはそれがわかり、さらに取り除くべき食器類が的確かつ確実に指示されるので、食器類の入れ過ぎによる洗浄乾燥効率の低下を回避して、最適量の食器類を洗浄乾燥することにより、エネルギー使用効率が向上し、かつ、洗浄品質を保つという食器洗い乾燥機本来の機能も確保することができる。
【発明を実施するための最良の形態】
【０００９】
第１の発明は、無線ＩＣタグが貼付された食器類を洗浄乾燥する食器洗い乾燥機であって、具備した読取手段で前記無線ＩＣタグからデータを読み取り、前記食器類の重量を含む情報を取得して、具備した記憶手段に前記情報を記憶し、具備した制御手段で前記情報より食器洗い乾燥機内に存在する食器類の総重量を算出し、前記算出した食器類の総重量が最適重量の範囲を超える場合、具備した報知手段により食器類を取り除くように指示するようにした。
【００１０】
これにより、食器類を入れ過ぎた時にはそれがわかるので、食器類の入れ過ぎによる洗浄乾燥効率の低下を回避して、最適量の食器類を洗浄乾燥することにより、エネルギー使用効率が向上し、かつ、洗浄乾燥品質（汚れの落ち具合、乾燥度合い）を保つという食器洗い乾燥機本来の機能も確保することができる。
【００１１】
第２の発明は、無線ＩＣタグが貼付されされた食器類を洗浄乾燥する食器洗い乾燥機であって、具備した読取手段で前記無線ＩＣタグからコードデータを読み取り、前記コードデータを基にネットワーク上の情報サーバから前記食器類の重量を含む情報を取得して、具備した記憶手段に前記情報を記憶して、具備した制御手段で前記情報より食器洗い乾燥機内に存在する食器類の総重量を算出し、前記算出した食器類の総重量が最適重量の範囲を超える場合、具備した報知手段により食器類を取り除くように指示するようにした。
【００１２】
これにより、無線ＩＣタグに食器類の重量を含む情報が含まれていなかった場合でも、その情報を情報サーバ経由で取得するので、第１の発明と同じ効果を得ることが出来る。
【００１３】
第３の発明は、第１または第２の発明において、食器類の総重量が最適重量の範囲を超える場合、前記最適重量との差を求め、前記差に相当するひとつ以上の食器類を取り除くように報知手段で指示するようにした。
【００１４】
これにより、食器類を入れ過ぎた時には取り除くべき食器類が的確かつ確実に指示されるので、食器類の入れ過ぎによる洗浄乾燥効率の低下を回避して、最適量の食器類を洗浄乾燥することにより、エネルギー使用効率が向上し、かつ、洗浄乾燥品質（汚れの落ち具合、乾燥度合い）を保つという食器洗い乾燥機本来の機能も確保することができる。
【００１５】
第４の発明は、特に第１または第２の発明において、洗浄乾燥を開始して洗浄乾燥終了時に記憶手段で記憶した情報を消去するようにした。
【００１６】
これにより、食器洗い乾燥機は洗浄乾燥終了時に食器類の重量を含む情報を確実に消去して、次回からの洗浄乾燥に備えることが出来る。
【００１７】
第５の発明は、特に第１または第２の発明において、記憶手段で記憶した総重量が最適重量の範囲を超える場合、あるいは、総重量が最適重量に達しない場合、報知手段により報知する、または、洗浄乾燥を開始しないようにした。
【００１８】
これにより、エネルギー効率の悪い洗浄乾燥をしない、あるいは、注意喚起させるようになるので、省エネルギーに貢献することが期待できる。
【００１９】
第６の発明は、特に第１または第２の発明において、記憶手段で記憶した総重量が最適重量の範囲に達した場合、報知手段により報知する、または、洗浄乾燥開始を許可、あるいは、洗浄乾燥を開始するようにした。
【００２０】
これにより、エネルギー効率の最も良い洗浄乾燥だけを行う、あるいは、そういった状態であることを意識させるようになるので、省エネルギーに貢献することが期待できる。
【００２１】
第７の発明は、特に第１〜６記載のいずれかの発明の食器洗い乾燥機において、少なくともひとつの手段をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００２２】
以下、本発明の実施の形態について、図面を用いて一実施形態について詳細に説明する。なお、この実施の形態によって本発明が限定されるものではない。
【００２３】
（実施の形態１）
図１は本発明の食器洗い乾燥機のシステム構成一例を示す図である。
【００２４】
最初に食器洗い乾燥機１０について説明する。食器洗い乾燥機１０は、食器類１を洗浄乾燥する装置であり、食器類１に添付された無線ＩＣタグ２の情報を読み取る読取手段３と、制御手段４ａと、洗浄乾燥促進手段５と、特小無線通信手段６ａとを具備する。
【００２５】
食器洗い乾燥機１０は洗浄乾燥促進手段５にて、洗浄乾燥すべき食器類１の洗浄を噴流で促進し、この洗浄乾燥促進手段５は制御手段４ａによって噴流速度、噴流時間、熱風温度などが制御される。洗浄乾燥には噴流という物理的動作を伴い、水や湯や熱風を用いるので、例えば陶器やガラスなどのように物理的に強い材質であれば洗浄乾燥しても構わないが、プラスチックのように物理的に弱いものがあるため注意を要する。
【００２６】
こういった食器類１ごとに設定された洗浄乾燥条件を予め知っておくことで、その素材に応じて洗浄乾燥制御（噴流速度、噴流噴流時間、熱風温度）すれば、大切な食器類を傷めたりすることなく、安心して洗浄乾燥を行うことが出来るものの、さらに食器類の総重量が適正範囲であれば非常に効率良く洗浄乾燥することが期待出来る。
【００２７】
そのために、食器類１に添付された無線ＩＣタグ２に書き込まれている情報、すなわち対象物が食器洗い乾燥機で洗浄乾燥しても良いものか、あるいは、洗浄乾燥可能ならば洗浄乾燥条件（噴流速度、噴流時間、熱風温度）はどのくらいが適当であるか、それに加えて食器類１の重量はいくらかという情報を取得する。
【００２８】
ここで、食器類１に添付された無線ＩＣタグ２に書かれている情報が、単なるコード情報で、６４〜１２８ビット程度の数字列で表現される数値情報であって、このコード情報だけで洗浄乾燥や重量に関する具体的な情報が得られないことがある。このような場合には、このコード情報を基にしてインターネット上のサーバにアクセスして、そもそも対象物が食器洗い乾燥機で洗浄乾燥しても良いものか、あるいは、洗浄乾燥可能ならば洗浄乾燥条件（噴流速度、噴流時間、熱風温度）はどのくらいが適当であるか、そして食器類１の重量はいくらかという情報を取得する。
【００２９】
このような情報を元に、食器洗い乾燥機１０に具備された制御手段４ａが洗浄乾燥促進手段５を制御して、より適切な洗浄乾燥を行うことが出来るので、上記のような情報を取得することは大変有益である。複数の条件の異なる対象物に対しては、最も条件の厳しいものに合わせて対象物の損傷を防ぐことも期待できる。
【００３０】
ここで述べているようなサーバからの情報取得は、食器洗い乾燥機１０の依頼を受けた中継装置２０が主体となって行うことが好ましい。すなわち、中継装置２０は特小無線通信手段６ｂを具備し、この特小無線通信手段６ｂを介して食器洗い乾燥機1０に具備された特小無線通信手段６ａと通信を行う。つまり食器洗い乾燥機1０において、食器類１に添付された無線ＩＣタグ２のコード情報を読取手段３にて読み取り、制御手段４ａから特小無線通信手段６ａを経由して、中継装置２０の特小無線通信手段６ｂに送信され、中継装置２０が具備している制御手段４ｂにて処理が開始される。
【００３１】
制御手段４ｂが受け取った無線ＩＣタグ２のコード情報は、中継装置２０に具備されたＬＡＮ通信手段７ｂと、ルータ３０に具備されたＬＡＮ通信手段７ｃ、および、ＷＡＮ通信手段８を経由して、インターネット上に存在する名前解決サーバ４０に送信される。名前解決サーバ４０は、無線ＩＣタグ２のコード情報に対応した詳細な情報がどこのサーバ（製品情報サーバ５０）に存在するかを返答して、先ほどとは逆の経路、つまり、ＷＡＮ通信手段８、ＬＡＮ通信手段７ｃ、ＬＡＮ通信手段７ｂという経路で制御手段４ｂに伝えられる。
【００３２】
ただし、サーバ設置については上記に限る理由はなく、名前解決サーバ４０、製品情報サーバ５０が一体化した情報サーバであって、無線ＩＣタグ２のコード情報より直接的に対応する詳細な情報を提供しても構わない。
【００３３】
制御手段４ｂはこの名前解決サーバ４０から得られた製品情報サーバ５０にアクセスして、食器類１の重量を含む詳細な情報を取得する。このようにして中継装置２０が取得した食器類１の重量を含む情報は、特小無線通信手段６ｂ、特小無線通信手段６ａ、そして制御手段４ａに送られ、制御手段４ａ内の記憶手段（図示しない）に記憶される。重量だけでなく、食器類の種類や識別に関する情報も同時に記憶される。制御手段４ａは、記憶手段に記憶されている食器類の総重量を算出し、別途記憶されている最適重量との比較を行う。
【００３４】
最適重量は、食器洗い乾燥機の機種によって決められる。例えば４．５キログラムから５．５キログラムといったようなある程度の幅を持った値である。記憶手段に記憶されている食器類の合計重量がこの範囲内に収まった場合には、報知手段９より、「最適重量になりましたので洗浄乾燥してください」といった報知を行っても良いし、ランプ表示で洗浄乾燥を促すように報知しても構わない。
【００３５】
あるいは、食器類の総重量が最適重量に達しない場合には、「まだ洗浄乾燥できません」、あるいは、「洗浄乾燥するのは不経済です。もう少しまとめてから洗浄乾燥しましょう」というような報知をする。あるいは、その状態で無理やり洗浄乾燥しようとすると「洗浄乾燥効率が悪いです。本当に洗浄乾燥するのですか」というような報知をしてから洗浄乾燥を始めても構わないし、「洗浄乾燥できません」と報知して、洗浄乾燥を禁止してしまうといったことさえも可能ではある。
【００３６】
あるいは、食器類の合計重量が最適重量を超えてしまった場合、報知手段９より「入れすぎです」と報知して制御手段４ａが洗浄乾燥促進手段５を制御して、洗浄乾燥を開始しないといった動作を行うこともありうる。この場合はさらに、制御手段４ａは、現在の総重量と最適重量の差を求めて、その差に相当する食器類を記憶手段に記憶されている情報から検索して、「入れすぎなので、＠＠製の食器類を取り除いてください」といった指示をおこなう。使用者はその食器類を食器洗い乾燥機１０から取り出し、食器類の総重量を最適重量範囲にした時点で「最適重量になりましたので洗浄乾燥してください」といった報知を行っても良いし、ランプ表示にように報知しても構わないし、「最適重量になりましたので洗浄乾燥を開始します」と報知した後に、制御手段４ａが洗浄乾燥促進手段５を制御して洗浄乾燥を自動的に開始しても構わない。
【００３７】
ここで制御手段４ａが最適な重量を求めるには、次のような式に当てはめて、最適重量を探っていく。すなわち、最適重量（上限）≧（食器類の総重量−取り出す食器類）≧最適重量（下限）という範囲に収まるように、取り出すべき食器類を探していけばよく、１枚の食器類で駄目ならば複数の食器類を組み合わせて、上記の範囲に収めるような計算処理を制御手段４ａが行なえばよい。
【００３８】
例えば、制御手段４ａにて取り出すべき食器類の重量を決めるときに、例えば、重量の重い食器類を優先して取り出すようにする。また、一般の皿よりも鍋、やかんなど大型で金属ものを優先して取り出すようにしてもよい。そのようにすれば、出来るだけ多くの食器類を洗浄乾燥することができる。
【００３９】
また、記憶手段に記憶されている食器類の重量を含む情報は、例えば洗浄乾燥終了時に一括して消去することにより、洗浄乾燥終了時に情報がリセットされ、次回からの洗浄乾燥に備えることが可能となる。
【００４０】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００４１】
以上のように、本発明は、無線ＩＣタグが貼付された食器類を洗浄乾燥する食器洗い乾燥機であって、具備した読取手段で前記無線ＩＣタグからデータを読み取り、前記食器類の重量を含む情報を取得して、具備した記憶手段に前記情報を記憶し、具備した制御手段で前記情報より食器洗い乾燥機内に存在する食器類の総重量を算出し、前記算出した食器類の総重量が最適重量の範囲を超える場合、具備した報知手段により食器類を取り除くように指示するようにしたので、食器類を入れ過ぎた時には取り除くべき食器類が的確かつ確実に指示されるので、食器類の入れ過ぎによる洗浄乾燥効率の低下を回避して、最適量の食器類を洗浄乾燥することにより、エネルギー使用効率が向上し、かつ、洗浄乾燥品質を保つという食器洗い乾燥機本来の機能も確保することができる。
【００４２】
また、食器洗い乾燥機は家庭用でも業務用でも構わないし、食器洗いだけの機能を備えた食器洗い機、食器乾燥だけの機能を備えた食器乾燥機に本発明を利用することも可能である。
【図面の簡単な説明】
【００４３】
【図１】本発明の食器洗い乾燥機のシステム構成一例を示す図
【符号の説明】
【００４４】
１  食器類
２  無線ＩＣタグ
３  読取手段
４ａ、４ｂ  制御手段
５  洗浄乾燥促進手段
６ａ、６ｂ  特小無線通信手段
７ｂ、７ｃ  ＬＡＮ通信手段
８  ＷＡＮ通信手段
９  報知手段
１０  食器洗い乾燥機
２０  中継装置
３０  ルータ
４０  名前解決サーバ
５０  製品情報サーバ
【図１】
2006288711.tif 000003